(57)【要約】【課題】改札通路の流動阻害を改善し、改札効率を向上することが可能な改札機及び改札方法を提供することを目的とする。【解決手段】  改札通路の上流側に配置された第１アンテナ部１１３を介して券媒体との間で無線通信を行い券媒体から改札処理に必要な改札情報を読み取る第１無線通信処理ユニット１１０と、第１無線通信処理ユニット１１０による無線通信エラーが生じた際に改札通路の下流側に配置された第２アンテナ部１２３を介して券媒体との間で無線通信を行い券媒体から改札情報を読み取る第２無線通信処理ユニット１２０と、を備え、ＣＰＵ６０は、第１無線通信処理ユニット１１０または第２無線通信処理ユニット１２０により読み取られた改札情報に基づいて改札処理を行う。【選択図】      図３
2007058762.tif 000002
【特許請求の範囲】
【請求項１】
改札通路の上流側に配置された第１アンテナ部を介して券媒体との間で無線通信を行い、券媒体から改札処理に必要な改札情報を読み取る第１通信手段と、
前記第１通信手段による無線通信エラーが生じた際に、改札通路の下流側に配置された第２アンテナ部を介して券媒体との間で無線通信を行い、券媒体から改札情報を読み取る第２通信手段と、
前記第１通信手段または前記第２通信手段により読み取られた改札情報に基づいて改札処理を行う改札手段と、
を備えたことを特徴とする改札機。
【請求項２】
改札通路内に上流側の第１ゾーン及び下流側の第２ゾーンのそれぞれにおいて利用者を検知する検知手段と、
前記検知手段により前記第１ゾーンの利用者を検知したのに基づいて、改札通路の上流側に配置された第１アンテナ部を介して券媒体との無線通信を可能とし、券媒体から改札処理に必要な改札情報を読み取る第１通信手段と、
前記第１通信手段による無線通信エラーが生じた際に前記検知手段により利用者の前記第１ゾーンから前記第２ゾーンへの移動を検知したのに基づいて、改札通路の下流側に配置された第２アンテナ部を介して券媒体との無線通信を可能とし、券媒体から改札情報を読み取る第２通信手段と、
前記第１通信手段または前記第２通信手段により読み取られた改札情報に基づいて改札処理を行う改札手段と、
を備えたことを特徴とする改札機。
【請求項３】
改札通路内に上流側の第１ゾーン及び下流側の第２ゾーンのそれぞれにおいて利用者を検知する検知手段と、
改札通路の上流側に配置された第１アンテナ部を介して券媒体との間で無線通信を行い、券媒体から改札処理に必要な改札情報を読み取る第１通信手段と、
改札通路の下流側に配置された第２アンテナ部を介して券媒体との間で無線通信を行い、券媒体から改札情報を読み取る第２通信手段と、
前記検知手段により、前記第１ゾーンの利用者を検知したのに基づいて前記第１通信手段の前記第１アンテナ部による無線通信を可能とし、前記第１通信手段による無線通信エラーが生じた際に利用者の前記第１ゾーンから前記第２ゾーンへの移動を検知したのに基づいて前記第２通信手段の前記第２アンテナ部による無線通信を可能とするとともに前記第１通信手段の前記第１アンテナ部による無線通信を不能とする制御手段と、
前記第１通信手段または前記第２通信手段により読み取られた改札情報に基づいて改札処理を行う改札手段と、
を備えたことを特徴とする改札機。
【請求項４】
さらに、前記第１通信手段による無線通信エラーが生じた際に、前記第２通信手段による無線通信が可能であることを報知する報知手段を備えたことを特徴とする請求項１乃至３のいずれか１項に記載の改札機。
【請求項５】
さらに、前記第１通信手段及び前記第２通信手段による無線通信エラーが生じた際に改札通路を閉鎖するとともに、前記改札手段による改札通路の通行を許可する旨の判定結果に基づいて改札通路を開放するドア機構を備えたことを特徴とする請求項１乃至３のいずれか１項に記載の改札機。
【請求項６】
改札通路の上流側に配置された第１アンテナ部を介して券媒体との間で無線通信を行い、券媒体から改札処理に必要な改札情報を読み取り、
前記第１アンテナ部を介した無線通信エラーが生じた際に、改札通路の下流側に配置された第２アンテナ部を介して券媒体との間で無線通信を行い、券媒体から改札情報を読み取り、
読み取られた改札情報に基づいて改札処理を行う、
ことを特徴とする改札方法。
【発明の詳細な説明】
【技術分野】
【０００１】
この発明は、改札機及び改札方法に係り、特に、無線式の券媒体を取り扱う改札機に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の通行を許可するか否かの改札処理を行う。取り込んだ券媒体は、必要に応じて返却または回収される。
【０００３】
また、近年では、磁気式の券媒体のほかに無線式の券媒体を取り扱う改札機が導入されている。このような無線式対応の改札機は、券媒体との間で無線通信を行い、券媒体から読み取った改札情報に基づいて利用者の通行を許可するか否かの改札処理を行う。券媒体との間で無線通信を行う無線通信ユニットは、通常、改札通路の上流側にのみ設置されている。
【０００４】
このような改札機のうち、改札通路の流動阻害を未然に防止するために、入場及び出場の両方に用いられる改札機において、本体のアンテナに入場用の非接触券がかざされ、又は、タッチされ、その非接触券に対する入場処理が終了したときに、出場用の非接触券の処理を可能とする技術が提案されている（例えば、特許文献１参照。）。
【特許文献１】特開２００２−３１２８１２号公報
【発明の開示】
【発明が解決しようとする課題】
【０００５】
ところで、無線式の券媒体（非接触券）を取り扱う改札機においては、無線通信ユニットのアンテナ部による通信エリアに券媒体がかざされなかった場合や、通信処理が完了する前に通信エリアから券媒体が離れてしまった場合などでは、無線通信エラーが生じる。このとき、改札機は、再度、改札通路の上流側に接地された無線通信ユニットのアンテナ部に券媒体をかざす旨を案内している。このため、券媒体を所持する利用者は、改札通路内に立ち止まってしまい、また、再度券媒体をアンテナ部にかざすために改札通路を逆行するなどして、利用者の流動阻害を引き起こす。
【０００６】
この発明は、上述した問題点に鑑みなされたものであって、その目的は、改札通路の流動阻害を改善し、改札効率を向上することが可能な改札機及び改札方法を提供することにある。
【課題を解決するための手段】
【０００７】
この発明の第１の態様による改札機は、
改札通路の上流側に配置された第１アンテナ部を介して券媒体との間で無線通信を行い、券媒体から改札処理に必要な改札情報を読み取る第１通信手段と、
前記第１通信手段による無線通信エラーが生じた際に、改札通路の下流側に配置された第２アンテナ部を介して券媒体との間で無線通信を行い、券媒体から改札情報を読み取る第２通信手段と、
前記第１通信手段または前記第２通信手段により読み取られた改札情報に基づいて改札処理を行う改札手段と、
を備えたことを特徴とする。
【０００８】
この発明の第２の態様による改札方法は、
改札通路の上流側に配置された第１アンテナ部を介して券媒体との間で無線通信を行い、券媒体から改札処理に必要な改札情報を読み取り、
前記第１アンテナ部を介した無線通信エラーが生じた際に、改札通路の下流側に配置された第２アンテナ部を介して券媒体との間で無線通信を行い、券媒体から改札情報を読み取り、
読み取られた改札情報に基づいて改札処理を行う、
ことを特徴とする。
【発明の効果】
【０００９】
この発明によれば、改札通路の流動阻害を改善し、改札効率を向上することが可能な改札機及び改札方法を提供することができる。
【発明を実施するための最良の形態】
【００１０】
以下、この発明の一実施の形態に係る改札機及び改札方法について図面を参照して説明する。
【００１１】
図１に示すように、この実施の形態に係る改札システムは、監視装置として機能するホストコンピュータ１０を備えている。このホストコンピュータ１０は、駅に設置された複数の改札機１００−１、１００−２…と通信回線２０を介して接続されており、これらの改札機１００を監視する。
【００１２】
ホストコンピュータ１０は、装置全体を制御するとともに下位に接続された各種機器を制御するものであって、複数の改札機１００を統括して制御するＣＰＵ１１を有している。このＣＰＵ１１には、メモリ部１２、表示部１３、入力部１４、通信制御部１５などが接続されている。
【００１３】
メモリ部１２は、ホストコンピュータ１０自体及び改札機１００などの下位の機器を制御するための制御データなどの各種データを記憶している。表示部１３は、ホストコンピュータ１０自体の動作状態、下位の機器の動作状態などを表示する。入力部１４は、各改札機１００の動作モードなど種々の情報を入力するためのキーボードや、接触を検知したのに基づいて対応する情報を出力するタッチパネルなどを有している。通信制御部１５は、下位の機器との間で通信回線２０を介して種々の情報の送受信を行う。
【００１４】
次に、図１に示した改札システムに適用可能な改札機１００の構成について説明する。図２に示すような改札機は、通常、２台１組として設置され、両者の間に利用者が通行可能な改札通路が形成される。入場処理や出場処理どの改札処理を行う改札機で利用可能な券媒体としては、普通乗車券、定期券、特急券、回数券、入場券、プリペイドカードなどの磁気式及び無線式の券媒体を対象としている。
【００１５】
これら券媒体は、券媒体固有の識別情報、例えば複数の数字の組み合わせからなる複数桁の識別番号、及び、改札処理に必要な改札情報、例えば、利用可能な区間情報、有効期限情報、入場記録情報、出場記録情報、利用者情報などを有している。このような識別情報及び改札情報は、磁気式券媒体では、その券面の磁気記録層に所定形式で磁気記録されており、また、無線式券媒体では、そのメモリ部に所定形式で記憶されている。
【００１６】
すなわち、図２に示すように、改札機１００は、筐体１を備えている。筐体１は、投入口２、排出口３、報知手段として機能する表示部４、ドア機構５、フレーム６、検知手段として機能する人間検知センサ７、表示器８、第１通信手段として機能する第１無線通信処理ユニット１１０、第２通信手段として機能する第２無線通信処理ユニット１２０などを備えている。
【００１７】
投入口２は、筐体１における改札通路の上流側に設けられ、施設内への入場時または施設内からの出場時に投入された券媒体を受け取り可能である。投入口２の近傍には、券媒体の投入を阻止するためのシャッタが設けられている。また、排出口３は、筐体１における改札通路の下流側に設けられ、投入口２から受け取った券媒体を必要に応じて排出する。
【００１８】
表示部４は、利用者の通行方向に対して筐体１における排出口３の前方に配置され、利用者や係員などに対して種々の案内情報、例えば改札処理の結果に対応した案内画面を所定の表示パターンで表示する。ドア機構５は、筐体１における改札通路側の側面の両端部に配置され、利用者の通行を制御するために開閉可能に構成されている。このドア機構５は、利用者の通行を可能とする場合に改札通路を開放し、また、利用者の通行を阻止する場合に改札通路を閉鎖する。
【００１９】
フレーム６は、筐体１の上部に設けられ、改札通路を規定するための仕切りとなる。複数の人間検知センサ７は、筐体１及びフレーム６の改札通路側における側面部に配置され、利用者の通行を検知するための出力信号を出力する。表示器８は、フレーム６に配置され、小児券、無効券、または異常券の投入や、機器の異常など装置の動作状態を報知する。
【００２０】
第１無線通信処理ユニット１１０は、筐体１における改札通路の上流側に配置され、無線式券媒体との間で無線通信を行う。第２無線通信処理ユニット１２０は、同一の筐体１における改札通路の下流側に配置され、無線式券媒体との間で無線通信を行う。
【００２１】
図３に示すように、改札機は、装置全体の制御を司るＣＰＵ６０を備えている。このＣＰＵ６０は、券媒体が有する改札情報に基づいて改札処理を行う改札手段、さらには、第１無線通信処理ユニット１１０及び第２無線通信処理ユニット１２０の動作状態（無線通信可能または無線通信不能）を制御する制御手段として機能する。
【００２２】
このＣＰＵ６０には、メモリ部６１、表示制御回路６２、ドア制御回路６３、通過検知回路６４、表示器制御回路６５、音声出力制御回路６６などが接続されている。
【００２３】
メモリ部６１は、ＲＯＭ、ＲＡＭ、運賃メモリなどを含んでいる。ＲＯＭは、ＣＰＵ６０の制御プログラムなどを記憶している。ＲＡＭは、制御プログラムのバッファとして情報を記憶するとともに、券媒体から読み取った情報などの各種情報を記憶する。運賃メモリは、入場駅（から設置駅まで）に対応した運賃情報を記憶している。
【００２４】
表示制御回路６２は、操作案内や改札処理の結果に対応した画像を表示するように表示部４を制御する。ドア制御回路６３は、改札処理の結果に対応して改札通路を開閉するようにドア機構５の駆動を制御する。通過検知回路６４は、人間検知センサ７からの出力信号に基づいて改札通路内の利用者を検知する（すなわち、改札通路内に規定された各ゾーン内の利用者の有無やゾーン間の利用者の移動を検知する）。表示器制御回路６５は、改札機の動作状態などに応じたパターンで点灯するように表示器８を制御する。音声出力制御回路６６は、操作案内や改札処理の結果に対応した音声を出力するように報知手段として機能するスピーカ８０を駆動する。
【００２５】
また、ＣＰＵ６０には、磁気式の券媒体を処理する磁気処理ユニット６７、無線式の券媒体を処理する無線通信処理ユニット１１０などが接続されている。
【００２６】
磁気処理ユニット６７は、シャッタ開閉機構３０、検知器３１、搬送機構３２、読取ヘッド３３、書込ヘッド３４、印刷機構３５、入鋏機構３６などを備えている。
【００２７】
シャッタ開閉機構３０は、投入口２に設けられたシャッタを駆動して、券媒体の投入口２への投入を許可または阻止する。検知器３１は、投入口２から排出口３までの間に規定される搬送経路上に設けられ、投入口２での券媒体の投入状態や、排出口３での券媒体の抜き取り、搬送経路上での券媒体の搬送状態などを検知する。搬送機構３２は、券媒体を搬送経路に沿って搬送する。読取ヘッド３３は、券媒体の磁気記録層に記録されている改札情報を読み取る読取手段として機能する。書込ヘッド３４は、券媒体の磁気記録層に対して必要に応じて所定の磁気情報を記録する。印刷機構３５は、券媒体に対して必要に応じて日付や改札場所名等の所定の情報を印刷する。入鋏機構３６は、券媒体に対して必要に応じて穿孔を形成する。
【００２８】
第１無線通信処理ユニット１１０は、券媒体との間で無線通信を行い、券媒体から改札情報を読み取る。すなわち、第１無線通信処理ユニット１１０は、券媒体と無線通信を行うための動作磁界を発生する第１アンテナ部１１３を備え、第１アンテナ部１１３を介して送信するデータの変調及び第１アンテナ部１１３を介して受信したデータの復調を行うように構成されている。
【００２９】
第２無線通信処理ユニット１２０は、第１無線通信処理ユニット１１０による無線通信エラーが生じた際に券媒体との間で無線通信を行い、券媒体から改札情報を読み取る。すなわち、この第２無線通信処理ユニット１２０は、券媒体と無線通信を行うための動作磁界を発生する第２アンテナ部１２３を備え、第２アンテナ部１２３を介して送信するデータの変調及び第２アンテナ部１２３を介して受信したデータの復調を行うように構成されている。
【００３０】
ＣＰＵ６０は、利用者が所持する各種券媒体からこれらの磁気処理ユニット６７及び無線通信処理ユニット１１０を介して読み取った改札情報に基づいて改札処理を行い、利用者の改札通路の通行を許可できるか否かの判定を行う。
【００３１】
さらに、ＣＰＵ６０には、通信制御部６９などが接続されている。この通信制御部６９は、ＣＰＵ６０の制御に基づき、改札機１００より上位の機器、例えばホストコンピュータ１０との間で情報通信を行う。
【００３２】
図４に示すように、無線式の券媒体Ｃは、第１無線通信処理ユニット１１０または第２無線通信処理ユニット１２０との間での無線通信を制御するＣＰＵ２０１、ＣＰＵ２０１に対して駆動電源を供給する電源２０２などを備えている。このＣＰＵ２０１には、ＲＯＭやＲＡＭなどで構成されたメモリ部２０３、第１無線通信処理ユニット１１０または第２無線通信処理ユニット１２０との間でアンテナ２０４を介して送信されたデータを受信したりデータを送信したりする通信制御部２０５などが接続されている。
【００３３】
図５に示すように、第１無線通信処理ユニット１１０または第２無線通信処理ユニット１２０は、それぞれ無線通信可能な状態において、第１アンテナ部１１３または第２アンテナ部１２３を介して、無線式の券媒体Ｃに対して一定時間の間隔でポーリングコマンド信号を発信している。利用者が券媒体Ｃを第１アンテナ部１１３または第２アンテナ部１２３にかざすと、無線通信によるデータのやり取りが開始される。つまり、このポーリングコマンド信号に対して、券媒体Ｃから返信信号が第１無線通信処理ユニット１１０または第２無線通信処理ユニット１２０に向けて送信される（ポーリングレスポンス）。
【００３４】
そして、第１無線通信処理ユニット１１０または第２無線通信処理ユニット１２０から券媒体Ｃに対して改札情報を含むデータの送信を要求する（リードコマンド）。券媒体Ｃの通信制御部２０５は、アンテナ２０４を介してデータ送信要求を受信したのに基づいて、ＣＰＵ２０１の制御に基づきメモリ部２０３に記憶していた改札情報を含むデータをアンテナ２０４を介して第１無線通信処理ユニット１１０または第２無線通信処理ユニット１２０に向けて送信する（リードレスポンス）。
【００３５】
第１無線通信処理ユニット１１０または第２無線通信処理ユニット１２０が無線式券媒体Ｃからデータを受信したのに基づき、改札機におけるＣＰＵ６０は、受信したデータ（無線通信処理ユニットによる通信結果）に基づいて改札処理を行う（判定）。そして、第１無線通信処理ユニット１１０または第２無線通信処理ユニット１２０は、ＣＰＵ６０における改札処理の結果に相当する判定結果情報を含むデータを券媒体Ｃに送信する（判定結果送信、ライトコマンド）。
【００３６】
その後、券媒体Ｃの通信制御部２０５は、アンテナ２０４を介して送信されたライトコマンドを受信したのに基づいて、ＣＰＵ２０１の制御に基づきメモリ部２０３に受信したデータを記憶する。そして、通信制御部２０５は、アンテナ２０４を介してデータが正常に書き込まれ一連の改札処理が完了したことを通知する（ライトレスポンス）。
【００３７】
その後、第１無線通信処理ユニット１１０または第２無線通信処理ユニット１２０は、券媒体Ｃからライトレスポンスを受信したのに基づいて、券媒体Ｃに対して処理を終了するためのクローズコマンドを送信する。券媒体Ｃは、第１無線通信処理ユニット１１０または第２無線通信処理ユニット１２０からのクローズコマンドを受信したのに基づいて、クローズレスポンスを送信する。第１無線通信処理ユニット１１０または第２無線通信処理ユニット１２０は、券媒体Ｃからクローズレスポンスを受信したのに基づいて、改札機におけるＣＰＵ６０に対して一連の処理が正常に終了した旨を通知する。
【００３８】
このようなデータのやり取りにより、券媒体Ｃと改札機１００における第１無線通信処理ユニット１１０または第２無線通信処理ユニット１２０との間で改札処理に必要な改札情報の無線通信が行われる。
【００３９】
次に、上述した改札機に適用可能な改札方法、特に、無線式の券媒体を利用した改札方法について説明する。なお、ここで説明する実施の形態では、便宜上、図６に示すように、改札通路の上流側を第１ゾーンＺ１とし、改札通路の下流側を第２ゾーンＺ２とする。各ゾーンにおける利用者の有無や、第１ゾーンＺ１から第２ゾーンＺ２への利用者の移動または第２ゾーンＺ２から第１ゾーンＺ１への利用者の移動は、筐体１に設置された複数の人間検知センサ７からの出力信号に基づいて検知される。
【００４０】
すなわち、図７に示すように、改札機におけるＣＰＵ６０は、通過検知回路６４を制御して人間検知センサ７からの出力信号に基づいて、第１ゾーンＺ１内の利用者の有無を検知する（ＳＴ１）。ＣＰＵ６０は、第１ゾーンＺ１内への利用者の侵入を検知したのに基づいて（ＳＴ１、ＹＥＳ）、第１無線通信処理ユニット１１０の第１アンテナ部１１３による無線通信を可能とするように制御する（ＳＴ２）。これにより、第１無線通信処理ユニット１１０は、第１アンテナ部１１３を介して所定の通信エリアにわたって動作磁界を発生し、券媒体に対して一定時間の間隔でポーリングコマンド信号を発信する。なお、このとき、第２無線通信処理ユニット１２０の第２アンテナ部１２３による無線通信は不能となるように制御されている。
【００４１】
続いて、ＣＰＵ６０は、第１無線通信処理ユニット１１０による図５に示したような券媒体との一連の無線通信処理が完了したか否かを判断する（ＳＴ３）。すなわち、図５に示したように、無線式の券媒体、第１無線通信処理ユニット１１０、及び、ＣＰＵ６０の間で、利用者の改札通路の通行を許可するか否かの判定処理を含めた一連の無線通信処理が行われる。そして、ＣＰＵ６０は、第１無線通信処理ユニット１１０が券媒体からクローズレスポンスを受信した旨の通知を受け取ったのに基づいて無線通信処理が正常に終了したと判断する（ＳＴ３、ＹＥＳ）。
【００４２】
これに対して、上述した一連の無線通信処理において、ＣＰＵ６０は、無線通信エラーが生じたと判断した場合（ＳＴ３、ＮＯ）、通過検知回路６４を制御して人間検知センサ７からの出力信号に基づいて、第２ゾーンＺ２内の利用者の有無を検知する（ＳＴ４）。ＣＰＵ６０は、第１ゾーンＺ１から第２ゾーンＺ２への利用者の移動を検知したのに基づいて（ＳＴ４、ＹＥＳ）、第２無線通信処理ユニット１２０の第２アンテナ部１２３による無線通信を可能とするように制御する（ＳＴ５）。これにより、第２無線通信処理ユニット１２０は、第２アンテナ部１２３を介して所定の通信エリアにわたって動作磁界を発生し、券媒体に対して一定時間の間隔でポーリングコマンド信号を発信する。
【００４３】
続いて、ＣＰＵ６０は、第２無線通信処理ユニット１２０による図５に示したような券媒体との一連の無線通信処理が完了したか否かを判断する（ＳＴ６）。そして、ＣＰＵ６０は、第２無線通信処理ユニット１２０が券媒体からクローズレスポンスを受信した旨の通知を受け取ったのに基づいて無線通信処理が正常に終了したと判断する（ＳＴ６、ＹＥＳ）。
【００４４】
このような無線通信処理において、ＣＰＵ６０は、券媒体から読み取った改札情報に基づいて利用者の通行を許可すると判定したのに基づいて（ＳＴ７、ＹＥＳ）、ドア制御回路６３を介してドア機構５を制御して改札通路を開放する（ＳＴ８）。一方、ＣＰＵ６０は、券媒体から読み取った改札情報に基づいて利用者の通行を許可しないと判定したのに基づいて（ＳＴ７、ＮＯ）、ドア制御回路６３を介してドア機構５を制御して改札通路を閉鎖する（ＳＴ９）とともに、表示制御回路６２を介して表示部４を制御したり音声出力制御回路を介してスピーカを制御したりすることにより、利用者の通行を阻止する旨の案内（「区間外」、「有効期限外」、「無効券」などである旨の案内）を行う。
【００４５】
上述した改札方法によれば、改札通路の上流側に配置された第１アンテナ部を介した第１無線通信処理ユニットによる無線通信エラーが生じた際に、改札通路の下流側に配置された第２アンテナ部を介した第２無線通信処理ユニットによる無線通信を可能としている。そして、第１無線通信処理ユニットまたは第２無線通信処理ユニットにより券媒体から読み取られた改札情報に基づいて改札処理を行う。
【００４６】
このため、券媒体を所持する利用者は、第１無線通信処理ユニットによる無線通信エラーが生じた場合であっても、改札通路内をさらに下流側に向かって通行し、第２無線通信処理ユニットによる無線通信を行うことができる。つまり、利用者は、同一改札通路内において上流側から下流側に向かって通行しながら、改札機側に対して無線通信を行う機会を２回得ることができる。したがって、利用者が改札通路内で立ち止まりまたは振り返り再び第１アンテナ部を介した無線通信を行う必要がなくなり、流動阻害を改善することが可能となる。これにより、改札効率を向上することが可能となる。
【００４７】
また、上述した改札方法におけるステップＳＴ４において、ＣＰＵ６０は、利用者の第１ゾーンＺ１から第２ゾーンＺ２への移動を検知したのに基づいて（ＳＴ４、ＹＥＳ）、第２通信処理ユニット１２０の第２アンテナ部１２３による無線通信を可能とするとともに、第１通信処理ユニット１１０の第１アンテナ部１１３による無線通信を不能とするように制御しても良い（ＳＴ５）。
【００４８】
このような制御を行うことにより、無線通信エラーを生じた券媒体を所持する先行利用者の無線通信が完了する前に、後続利用者の無線通信を行うことを防止できる。
【００４９】
さらに、上述した改札方法におけるステップＳＴ３において、ＣＰＵ６０は、無線通信エラーを生じたと判断したのに基づいて（ＳＴ３、ＮＯ）、表示制御回路６２を介して表示部４を制御したり音声出力制御回路を介してスピーカを制御したりすることにより、第２無線通信処理ユニット１２０による無線通信が可能である旨を報知するようにしても良い。
【００５０】
このような制御を行うことにより、無線通信エラーを生じた券媒体を所持する利用者を改札通路の下流側に誘導することが可能となり、さらに、流動阻害を改善することが可能となる。
【００５１】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５２】
上述した実施の形態では、同一筐体における改札通路の上流側及び下流側に同一構成の無線通信処理ユニットをそれぞれ配置したが、少なくとも改札通路の上流側及び下流側に別個のアンテナ部を配置していれば良く、アンテナ部を介して受信したデータや送信するデータを処理する処理ユニットは単個であってもよい。また、同一筐体に２以上の複数の無線通信処理ユニットを配置しても良い。
【図面の簡単な説明】
【００５３】
【図１】図１は、この発明の一実施の形態に係る改札システムの構成を概略的に示す図である。
【図２】図２は、この発明の一実施の形態に係る改札機の外観を概略的に示す斜視図である。
【図３】図３は、図２に示した改札機の制御系の構成を概略的に示すブロック図である。
【図４】図４は、図２に示した改札機による改札処理対象としての無線式の券媒体の構成を概略的に示す図である。
【図５】図５は、無線式の券媒体と改札機との無線通信による信号のやりとりを説明するための図である。
【図６】図６は、改札通路におけるゾーンの定義を説明するための図である。
【図７】図７は、図２に示した改札機に適用可能な改札方法を説明するためのフローチャートである。
【符号の説明】
【００５４】
１…改札機筐体、４…表示部、５…ドア機構、７…人間検知センサ、６０…ＣＰＵ、１００…改札機、１１０…第１無線通信処理ユニット、１１３…第１アンテナ部、１２０…第２無線通信処理ユニット、１２３…第２アンテナ部、Ｚ１…第１ゾーン、Ｚ２…第２ゾーン
【図１】
2007058762.tif 000003
【図２】
2007058762.tif 000004
【図３】
2007058762.tif 000005
【図４】
2007058762.tif 000006
【図５】
2007058762.tif 000007
【図６】
2007058762.tif 000008
【図７】
2007058762.tif 000009